(57)【要約】【課題】  自然な姿勢で簡単にジェルネイルを除去すること。【解決手段】  このジェルオフスティック１００では、本体３を手に持ち前記湾曲部１ｅを爪Ｎの表面に均一に当たるように、当該本体３の爪Ｎに対する角度を調整しながら、当該爪Ｎの表面であって甘皮Ｓ付近に押し付ける。この状態で爪Ｎの先端方向に第一刃１を移動させると、湾曲部１ｅ及び突起１ｄの刃１ｆがジェルネイルに喰い込み、移動に伴いジェルネイルがこそぎ落される。この動作を繰り返してジェルネイルを全てこそぎ落とす。このジェルオフスティック１００によれば、全体がスティック状であり且つその先端で引っ掻くようにしてジェルネイルをこそぎ落とすことになるため、自然な姿勢で簡単に作業が行える。【選択図】  図４
2018075358.tif 000002
【特許請求の範囲】
【請求項１】
長尺の本体と、
前記本体の端にループ状に設けると共に、当該本体の軸方向に対してループ両側かつ下向きに設けた突起及びこれら突起と突起との間に当該突起の形成方向に対して略直交方向に形成され且つ爪の曲率に合わせて湾曲した端縁に刃が形成された湾曲部を有する第一刃と、
を備えたことを特徴とするジェルネイルオフ具。
【請求項２】
長尺の本体と、
前記本体の端にループ状に設けると共に、当該本体の軸方向に対してループ両側かつ下向きに設けた突起及びこれら突起と突起との間に当該突起の形成方向に対して略直交方向に設けられた端縁に刃が形成された第二突起を有する第二刃と、
を備えたことを特徴とするジェルネイルオフ具。
【請求項３】
長尺の本体と、
前記本体の一端にループ状に設けると共に、その一面側に、当該本体の軸方向に対してループ両側かつ下向きに設けた突起及びこれら突起と突起との間に当該突起の形成方向に対して略直交方向に形成され且つ爪の曲率に合わせて湾曲した端縁に刃が形成された湾曲部を有する第一刃と、
その他面側に、当該本体の軸方向に対してループ両側かつ下向きに設けた突起及びこれら突起と突起との間に当該突起の形成方向に対して略直交方向に設けられた端縁に刃が形成された第二突起を有する第二刃と、
を備えたことを特徴とするジェルネイルオフ具。
【請求項４】
前記板状金属の先端頂部は湾曲していることを特徴とする請求項１〜３のいずれか一つに記載のジェルネイルオフ具。
【請求項５】
先端頂部の両側の湾曲の曲率を、先端頂部の湾曲の曲率より大きくしたことを特徴とする請求項４に記載のジェルネイルオフ具。
【請求項６】
更に、前記本体の他端に、砥石を設けたことを特徴とする請求項３に記載のジェルネイルオフ具。
【発明の詳細な説明】
【技術分野】
【０００１】
本発明は、ジェルネイルを除去する際に用いるジェルネイルオフ具に関するものである。
【背景技術】
【０００２】
従来から爪の上に形成したジェルネイルを除去する方法として、メタルプッシャーと呼ばれる道具が用いられることが多かった。このメタルプッシャーは、先端がスプーン形状になっており、本来は甘皮のケアに使用するものであり、甘皮を押し上げるためのものである。このメタルプッシャーを用いてジェルネイルを除去するには、スプーンのエッジ部分を爪の甘皮の位置から先端に向けて当該爪に押し付けながら動かし、ジェルネイルをこそぎ取る。
【０００３】
なお、上記メタルプッシャーとしては、特許文献１に記載されているような人口爪湾曲具が知られている。
【先行技術文献】
【特許文献】
【０００４】
【特許文献１】特開２００６−１６７３３２号公報
【発明の概要】
【発明が解決しようとする課題】
【０００５】
しかしながら、従来のメタルプッシャーを用いたジェルネイルの除去方法では、無理な姿勢で作業を行わなければならないという問題点があった。図１９は、そのような作業の様子を示す説明図である。同図に示すように、除去する指Ｆを手前に折り曲げ、もう一方の手でメタルプッシャーＰをしっかり把持し、スプーン形状の先端Ｐａを爪Ｎに力を入れて甘皮付近に押し当て、手首をひねる動作により当該爪Ｎに沿って指先端方向に移動させる。このため、爪Ｎに対する先端Ｐａの角度がつかみ難く、作業が行い難いという問題点があった。また、従来のメタルプッシャーでは、上記のような使用方法を余儀なくされるため、先端が鋭利な真新しいメタルプッシャーの場合には、爪Ｎや甘皮に刺さってしまうこともあった。本発明は、係る問題点を解決するためになされたものである。
【課題を解決するための手段】
【０００６】
本発明に係るジェルネイルオフ具は、長尺の本体と、前記本体の端にループ状に設けると共に、当該本体の軸方向に対してループ両側かつ下向きに設けた突起及びこれら突起と突起との間に当該突起の形成方向に対して略直交方向に形成され且つ爪の曲率に合わせて湾曲した端縁に刃が形成された湾曲部を有する第一刃と、を備えたことを特徴とする。また、長尺の本体と、前記本体の端にループ状に設けると共に、当該本体の軸方向に対してループ両側かつ下向きに設けた突起及びこれら突起と突起との間に当該突起の形成方向に対して略直交方向に設けられた端縁に刃が形成された第二突起を有する第二刃と、を備えたことを特徴とする。
【０００７】
また、本発明に係るジェルネイルオフ具は、長尺の本体と、前記本体の一端にループ状に設けると共に、その一面側に、当該本体の軸方向に対してループ両側かつ下向きに設けた突起及びこれら突起と突起との間に当該突起の形成方向に対して略直交方向に形成され且つ爪の曲率に合わせて湾曲した端縁に刃が形成された湾曲部を有する第一刃と、その他面側に、当該本体の軸方向に対してループ両側かつ下向きに設けた突起及びこれら突起と突起との間に当該突起の形成方向に対して略直交方向に設けられた端縁に刃が形成された第二突起を有する第二刃と、を備えたことを特徴とする。
【０００８】
上記発明においては、前記板状金属の先端頂部を湾曲させるのが好ましい。更に、前記先端頂部の両側の湾曲の曲率を、先端頂部の湾曲の曲率より大きくするのが好ましい。更に、前記本体の他端に、砥石を設けるのが好ましい。
【図面の簡単な説明】
【０００９】
【図１】本発明の実施の形態１に係るジェルオフスティックを示す説明図である。
【図２】図１に示したジェルオフスティックの一部拡大図である。
【図３】図１に示したジェルオフスティックの一部拡大図である。
【図４】本発明の実施の形態２に係るジェルオフスティックを示す説明図である。
【図５】図１に示したジェルオフスティックの使用方法を示す説明図である。
【図６】図１に示したジェルオフスティックの使用方法を示す説明図である。
【図７】本発明の実施の形態２に係るジェルオフスティックを示す説明図である。
【図８】本発明の実施の形態３に係るジェルオフスティックを示す説明図である。
【図９】図８に示したジェルオフスティックの一部拡大図である。
【図１０】図８に示したジェルオフスティックを示す斜視図である。
【図１１】図８に示したジェルオフスティックを示す斜視図である。
【図１２】本発明の実施の形態４に係るジェルオフスティックの一部拡大図である。
【図１３】図１２に示したジェルオフスティックを示す斜視図である。
【図１４】図１２に示したジェルオフスティックを示す斜視図である。
【図１５】本発明の実施の形態５に係るジェルオフスティックを示す説明図である。
【図１６】第一刃を示す拡大説明図である。
【図１７】第二刃を示す拡大説明図である。
【図１８】第二刃の変形例を示す拡大説明図である。
【図１９】従来のジェルオフ方法を示す説明図である。
【発明を実施するための形態】
【００１０】
（実施の形態１）
図１は、本発明の実施の形態１に係るジェルオフスティックを示す説明図であり、（ａ）は平面図、（ｂ）は右側面図、（ｃ）は左側面図、（ｄ）は底面図、（ｅ）は正面図、（ｆ）は背面図である。図２及び図３は、このジェルオフスティックの一部拡大図である。このジェルオフスティック１００は、全体が金属製であり、棒状の本体３と、本体３の一端に設けた第一刃１と、本体３の他端に設けた第二刃２とから構成される。この本体３の表面には滑り止めのローレット加工が必要により施される。第一刃１及び第二刃２は、先端頂部１ａ，２ａの形状が略半円形状となる。略半円形状とすることで、爪の甘皮に合わせて当該先端を爪に押し付けることができ、換言すれば、甘皮の際で緻密な作業がしやすくなる。また、第一刃１及び第二刃２では、先端頂部１ａ，２ａの湾曲の曲率は緩くして甘皮のラインに合わせられるようにし、先端頂部１ａ，２ａの両側１ｂ、２ｂの湾曲の曲率は大きくして甘皮の両側のカーブに合わせられるようにしてある。これにより、カーブがきつい爪の部分や甘皮の部分に対する作業が行いやすくなる。
【００１１】
第一刃１は、板状金属片を洋梨形状又は滴形状をしたループ状に形成し、一面側の端縁１ｃの軸方向に対してループ両側の部分に山形の突起１ｄが設けられ、軸方向先端の前記突起１ｄの間には湾曲部１ｅが設けられている。当該湾曲部１ｅの形状は、図４に示すように、爪Ｎの表面のカーブに沿った湾曲形状とする。上述のように、第一刃１の先端（１ａ，１ｂ）は略半円形状となるため、湾曲部１ｅは上下方向及び水平方向において湾曲した形状となる。この湾曲部１ｅの端縁角および突起１ｄの頂部角には、ジェルネイルに喰い込ませるための刃１ｆが形成される。湾曲部１ｅの左右両側の突起１ｄは、一般的な形状かつ大きさの爪のサイドラインの多少内側に当たるようにその寸法を設ける。湾曲部１ｅは、全体が板状金属片のループ形状であることから、前記突起１ｄと突起１ｄとの間に連続的に且つ突起１ｄの形成方向とは略直交方向に平面的に設けられる。また、第一刃１は、全体が板状金属片のループ形状となるので、内側に開放された空間４が形成される。この空間４から削りカスが排出されるので、第一刃１の内側に溜まることがない。
【００１２】
第二刃２は、上記同様、板状金属片を洋梨形状又は滴形状をしたループ状に形成し、一面側の端縁２ｃの軸方向に対して両側の部分に円弧状の山形の突起２ｄが設けられ、軸方向先端の前記突起２ｄの間に湾曲部２ｅを設けた構成である。当該湾曲部２ｅの形状は、爪の表面のカーブに沿った湾曲形状とする。第二刃２の先端は略半円形状となるため、湾曲部２ｅは上下方向及び水平方向において湾曲した形状となる。湾曲部２ｅの左右両側の突起２ｄは、一般的な形状かつ大きさの爪のサイドラインの多少内側に当たるようにその寸法を設ける。また、突起２ｄは、先端とは反対側は内側に湾曲した形状であり、頂点から先端側は外側に湾曲した形状であり、全体として波形状となっている。頂部には、刃２ｆが形成されている。
【００１３】
更に、この湾曲部２ｅには、円弧状の山形の第二突起２ｇが２つ設けられる。このため、湾曲部２ｅは、全体的には湾曲しているがその中に円弧状の第二突起２ｇが設けられた形状となる。各山形の第二突起２ｇの角には鋭く形成された刃２ｆが設けられる。即ち、湾曲部２ｅの端縁角には、ジェルネイルに喰い込ませるための刃２ｆが形成されることになる。第二突起２ｇは、全体が板状金属片のループ形状であることから、前記突起２ｄと突起２ｄとの間に連続的に且つ突起２ｄの形成方向とは略直交方向に平面的に設けられる。また、第二刃２は、全体がループ形状となるので、内側に開放された空間５が形成される。この空間５から削りカスが排出されるので、第二刃２の内側に溜まることがない。
【００１４】
第一刃１と第二刃２とは、前記突起１ｄ、２ｄが上記のように同じ面側になるようにしても良いし、図示しないが反対面側になるようにしても良い。また、所定の角度だけ捩じれて設けても良い。板状金属片の幅及び厚さは、強度が保てる程度に設定するものとする。
【００１５】
次に、このジェルオフスティック１００の使用方法を説明する。図５及び図６は、このジェルオフスティックの使用方法を示す説明図である。第一刃１と第二刃２は、それぞれ順に用いても良いし、単独で用いても良い。第一刃１は、図５に示すように、本体３を手に持ち前記湾曲部１ｅを爪Ｎの表面に均一に当たるように、当該本体３の爪Ｎに対する角度を調整しながら、当該爪Ｎの表面であって甘皮Ｓ付近に押し付ける。ここで両側の突起１ｄを爪Ｎの表面に先に押し当て、ここを支点として角度調整すると適切な角度を決めやすく、角度を保持しやすい。
【００１６】
この状態で爪Ｎの先端方向に第一刃１を移動させると（移動方向を図中矢印で示す）、湾曲部１ｅ及び突起１ｄの刃１ｆがジェルネイルに喰い込み、移動に伴いジェルネイルがこそぎ落される。削りカスは、第一刃１の内側の空間４に入り込んで排出される。前記突起１ｄは、爪のサイドウォールないしサイドラインから少し内側を爪Ｎの先端方向に移動して当該部分においてもジェルネイルをこそぎ落す。この動作を繰り返してジェルネイルを全てこそぎ落とす。
【００１７】
第二刃２を用いる場合、図６に示すように、本体３を持ち前記突起２ｄ、２ｇが爪Ｎの表面に均一に当たるように、当該本体３の爪Ｎに対する角度を調整しながら、爪Ｎの表面であって甘皮Ｓ付近に押し付ける。これにより刃２ｆがジェルネイルに喰い込み、この状態で爪Ｎの先端方向に第二刃２を移動させると（移動方向を図中矢印で示す）、突起２ｄ、２ｇによりジェルネイルの表面に筋が入り、こそぎ落としやすくなる。削りカスは、第二刃２の内側の空間５に入り込んで排出される。このように筋を形成した後は、先端が逆になるように本体３を持ち替えて、前記第一刃１により上記動作によりジェルネイルをこそぎ落とす。
【００１８】
このジェルオフスティック１００によれば、全体がスティック状であり且つその先端で引っ掻くようにしてジェルネイルをこそぎ落とすことになるため、自然な姿勢で楽に作業が行える。また、第一刃１及び第二刃２の先端頂部１ａ，２ａが湾曲していることから、ジェルネイルを甘皮の際から綺麗にこそぎ落とすことができる。また、第二刃２でジェルネイルに筋を付け、その上で第一刃１によりジェルネイルをこそぎ落とすようにすれば、簡単にジェルネイルを除去できる。なお、第一刃１及び第二刃２の他方側の端縁１ｈ，２ｈにも刃を形成しても良い。このようにすれば、当該刃により表面をならすことができる。
【００１９】
また、第一刃１及び第二刃２の形成は、本体３と一体で成形しても良いし、別部品として製作して取り付けるようにしても良い。
【００２０】
（実施の形態２）
図７は、本発明の実施の形態２に係るジェルオフスティックを示す説明図であり、（ａ）は平面図、（ｂ）は右側面図、（ｃ）は左側面図、（ｄ）は底面図、（ｅ）は正面図、（ｆ）は背面図である。このジェルオフスティック２００は、全体が金属製であり、棒状の本体３と、本体３の一端に設けた刃部２０１とから構成される。
【００２１】
前記刃部２０１は、実施の形態１と同じ形状であり、板状金属片を洋梨形状又は滴形状をしたループ状に形成し、一面側の端縁２０１ｃに上記実施の形態１に示した第一刃１を形成し、他面側の端縁２０１ｈに上記実施の形態１に示した第二刃２を形成したものである。このように、本体３の一端に第一刃１及び第二刃２を形成することで、使用中に指先で本体３を軸中心に回すだけで使用する刃を変えることができる。その他の構成は、実施の形態１と同様であるからその説明を省略し、同一構成要素には同一符号を付する。また、その使用方法についても第一刃１と第二刃２との持ち替え方法が異なるのみで、実施の形態１と同様である。また、刃部２０１の形成は、本体３と一体で成形しても良いし、別部品として製作して取り付けるようにしても良い。
【００２２】
（実施の形態３）
図８は、本発明の実施の形態３に係るジェルオフスティックを示す説明図であり、（ａ）は平面図、（ｂ）は右側面図、（ｃ）は底面図、（ｄ）は左側面図（上下反転）、（ｅ）は背面図、（ｆ）は正面図である。図９は、このジェルオフスティックの一部拡大図であり、（ａ）は平面図、（ｂ）は右側面図、（ｃ）は底側面図、（ｄ）は左側面図、（ｅ）は背面図（上下反転）、（ｆ）は正面図である。図１０及び図１１は、図８に示したジェルオフスティックを示す斜視図である。
【００２３】
このジェルオフスティック２５０は、全体が金属製であり、棒状の本体３と、本体３の一端に設けた第一刃２５１及び第二刃２５２から構成される。第一刃２５１及び第二刃２５２は、板状金属片を洋梨形状又は滴形状をしたループ状に形成し、一面側に第一刃２５１を形成し、他面側に第二刃２５２を形成している。このように、本体３の一端に第一刃２５１及び第二刃２５２を形成することで、使用中に指先で本体３を軸中心に回すだけで使用する刃を変えることができる。また、前記本体３の表面には滑り止めのローレット加工が必要により施される（図示省略）。
【００２４】
本体３の他端には、爪やジェルネイルを研磨するための砥石３ａが設けられている。砥石３ａは、円柱形状を斜めにカットした先端部分を有する形状である。本体３の他端に砥石３ａを設けることで、ジェルネイルの仕上げ等もこのジェルオフスティック２５０により行うことができるので、大変便利である。
【００２５】
第一刃２５１及び第二刃２５２は、先端頂部２５１ａ，２５２ａの形状が略半円形状となる。略半円形状とすることで、爪の甘皮に合わせて当該先端を爪に押し付けることができ、換言すれば、甘皮の際で緻密な作業がしやすくなる。また、第一刃２５１及び第二刃２５２では、先端頂部２５１ａ，２５２ａ（図９（ａ）に範囲を示す）の湾曲の曲率は緩くして甘皮のラインに合わせられるようにし、先端頂部２５１ａ，２５２ａの両側２５１ｂ、２５２ｂ（図９（ａ）に範囲を示す）の湾曲の曲率は大きくして甘皮の両側のカーブに合わせられるようにしてある。これにより、カーブがきつい爪の部分や甘皮の部分に対する作業が行いやすくなる。
【００２６】
第一刃２５１は、ループ両側の端縁２５１ｃの軸方向に対して山形の突起２５１ｄが設けられ、軸方向先端の前記突起２５１ｄの間には湾曲部２５１ｅが設けられている。当該湾曲部２５１ｅの形状は、爪の表面のカーブに沿った湾曲形状とする。湾曲部２５１ｅは、全体が板状金属片のループ形状であることから、前記突起２５１ｄと突起２５１ｄとの間に連続的に且つ突起２５１ｄの形成方向とは略直交方向に平面的に設けられる。第一刃２５１は、全体が板状金属片のループ形状となるので、内側に開放された空間２５４が形成される。この空間２５４から削りカスが排出されるので、第一刃２５１の内側に溜まることがない。第一刃２５１の先端（２５１ａ，２５１ｂ）は、略半円形状となるため、湾曲部２５１ｅは上下方向及び水平方向において湾曲した形状となる。
【００２７】
前記湾曲部２５１ｅには、その形状に沿ってジェルネイルに喰い込ませるための刃２５１ｆが形成される。この刃２５１ｆは、外面及び内面が前記ループ形状の端縁頂部に向かって僅かな傾斜をもつように研磨形成され、この湾曲部２５１ｅの端縁の角および突起２５１ｄの頂部の角についても、略一様に刃２５１ｆが形成される。この刃２５１ｆは、端縁頂部で鋭利になるように形成される。また、刃２５１ｆは、板状金属片の厚さ方向において中央より外側に形成される。これにより、爪に対して角度をつけて押し付けた場合に、ジェルネイルに喰い込みやすい。このように、突起２５１ｄの頂部に一様に刃２５１ｆを形成することで、当該突起２５１ｄをもって爪のサイドライン付近での除去作業を行うことができる。
【００２８】
なお、湾曲部２５１ｅの左右両側の突起２５１ｄは、一般的な形状かつ大きさの爪のサイドラインの多少内側に当たるようにその寸法を設ける。当該刃２５１ｆは、先端断面が鋭利に尖っているためにジェルネイルに良く喰い込み、ジェルネイルの表面を掻き取り易い。
【００２９】
第二刃２５２は、ループ両側の端縁２５２ｃの軸方向に対して山形の突起２５２ｄが設けられる。この左右両側の突起２５２ｄは、一般的な形状かつ大きさの爪のサイドラインの多少内側に当たるようにその寸法を設ける。また、突起２５２ｄは、先端と反対側は若干内側に湾曲した形状であり、その頂点から先端側は外側に若干湾曲した形状であり、全体として波形状となっている。端縁頂部には、刃２５２ｆが形成されている。このように、突起２５２ｄの頂部に一様に刃２５２ｆを形成することで、当該突起２５２ｄをもって爪のサイドライン付近での除去作業を行うことができる。
【００３０】
前記突起２５２ｄの間には、円弧状の山形の第二突起２５２ｇが一つ設けられる。第二突起２５２ｇは、全体が板状金属片のループ形状であることから、前記突起２５２ｄと突起２５２ｄとの間に連続的に且つ突起２５２ｄの形成方向とは略直交方向に平面的に設けられる。第二突起２５２ｇの端縁の角には鋭く形成された刃２５２ｆが設けられる。この刃２５２ｆは、外面及び内面が前記ループ形状の端縁頂部に向かって僅かな傾斜をもつように研磨形成され、突起２５２ｄ及び第二突起２５２ｇの頂部角についても略一様に刃２５２ｆが形成される。当該刃２５１ｆは、板状金属片の厚さ方向において中央より外側に形成されるので、爪に対して角度をつけて押し付けた場合に、ジェルネイルに喰い込みやすい。更に、当該刃２５２ｆは、先端断面が鋭利に尖っているためにジェルネイルに良く喰い込み、ジェルネイルの表面を掻き取り易い。また、第二刃２５２は、全体がループ形状となるので、内側に開放された空間２５４が形成される。この空間２５４から削りカスが排出されるので、第二刃２５２の内側に溜まることがない。
【００３１】
次に、このジェルオフスティック２５０の使用方法を説明する。第一刃２５１と第二刃２５２は、それぞれ順に用いても良いし、単独で用いても良い。第一刃２５１を使用する場合、本体３を手に持ち前記湾曲部２５１ｅを爪の表面に均一に当たるように、当該本体３の爪に対する角度を調整しながら、当該爪の表面であって甘皮付近に押し付ける（実施の形態１の図５に示した使用状況と略同じであるので、当該図５を参照）。ここで両側の突起２５１ｄを爪の表面に先に押し当て、ここを支点として角度調整すると適切な角度を決めやすく、角度を保持しやすい。
【００３２】
この状態で爪の先端方向に第一刃２５１を移動させると、湾曲部２５１ｅ及び突起２５１ｄの刃２５１ｆがジェルネイルに喰い込み、移動に伴いジェルネイルがこそぎ落される。削りカスは、第一刃２５１の内側の空間２５４に入り込んで排出される。前記突起２５１ｄは、爪のサイドウォールないしサイドラインから少し内側を爪の先端方向又は先端方向に対して斜めに移動して当該部分のジェルネイルをこそぎ落す。この動作を繰り返してジェルネイルを全てこそぎ落とす。
【００３３】
第二刃２５２を用いる場合、本体３を持ち前記突起２５２ｄ、２５２ｇが爪の表面に当たるように、本体３の爪に対する角度を調整しながら、爪の表面であって甘皮付近に押し付ける（実施の形態１の図５に示した使用状況と略同じであるので、当該図５を参照）。これにより刃２５２ｆがジェルネイルに喰い込み、この状態で爪の先端方向に第二刃２５２を移動させると、突起２５２ｄ、２５２ｇの刃２５２ｆによりジェルネイルの表面に筋が入り、こそぎ落としやすくなる。
【００３４】
本発明では、第二突起２５２ｇが一つになるため、実施の形態１及び２の場合に比べて爪に当たる第二突起２５２ｇの刃幅が広く、筋を広く入れることができる。また、本体３を軸周方向に多少回転させても爪に対する刃２５２ｆの当たり具合があまり変わらないので、使いやすい。削りカスは、第二刃２５２の内側の空間２５４に入り込んで排出される。このように筋を形成した後は、先端が逆になるように本体３を持ち替えて、前記第一刃２５１により上記動作によりジェルネイルをこそぎ落とす。
【００３５】
このジェルオフスティック２５０によれば、全体がスティック状であり且つその先端で引っ掻くようにしてジェルネイルをこそぎ落とすことになるため、自然な姿勢で楽に作業が行える。また、第一刃２５１及び第二刃２５２の先端頂部が湾曲していることから、ジェルネイルを甘皮の際から綺麗にこそぎ落とすことができる。また、第二刃２５２でジェルネイルに筋を付け、その上で第一刃２５１によりジェルネイルをこそぎ落とすようにすれば、簡単にジェルネイルを除去できる。
【００３６】
なお、第一刃２５１及び第二刃２５２の形成は、本体３と一体で成形しても良いし、別部品として製作して取り付けるようにしても良い。
【００３７】
（実施の形態４）
図１２は、本発明の実施の形態４に係るジェルオフスティックの一部拡大図であり、（ａ）は平面図、（ｂ）は右側面図、（ｃ）は底側面図、（ｄ）は左側面図（上下反転）、（ｅ）は背面図、（ｆ）は正面図である。図１３及び図１４は、図１２に示すジェルオフスティックを示す斜視図である。
【００３８】
この実施の形態４に係るジェルオフスティック２６０は、実施の形態３と同様、本体３の他端に爪やジェルネイルを研磨するための砥石３ａが設けられている（図示省略）。このジェルオフスティック２６０は、上記実施の形態３の第二突起２５２ｇを二つ設けた点に特徴がある。その他の構成は、実施の形態３と同様であるから同一構成要素には同一符号を付してその説明を省略する。
【００３９】
第二突起２５２ｇを二つ設けた構成は実施の形態１及び２と同様であり、第二突起２５２ｇを二つ設けることで、ジェルネイルに同時に２本の筋を入れることができる。実施の形態３のジェルオフスティックと比較すると、２本の筋を一度に入れることもできるし、本体３を軸の周方向に角度を付けて持つことで、片方の第二突起２５２ｇのみで筋を付けることもできる。また、各第二突起２５２ｇの爪に対する当接幅が狭いことから、細い筋を付けることができる。その他の作用、効果は、実施の形態３に係るジェルオフスティックと同様である。
【００４０】
（実施の形態５）
図１５は、この発明の実施の形態５に係るジェルオフスティックを示す説明図であり、（ａ）は平面図、（ｂ）は右側面図（左側面図）、（ｄ）は底面図、（ｅ）は正面図、（ｆ）は背面図である。図１６は、第一刃を示す拡大説明図、図１７は、第二刃を示す拡大説明図である。このジェルオフスティック３００は、全体が金属製であり、棒状の本体３と、本体３の一端に設けた第一刃３０１と、本体３の他端に設けた第二刃３０２とから構成される。本体３の表面には滑り止めのローレット加工が施される。
【００４１】
第一刃３０１は、平面視において矩形であり長手方向が軸方向と一致しており、中央に矩形の穴３０１ａが形成された構成である。全体的に短手方向に湾曲している。先端の端縁３０１ｂには、前記湾曲面に対して湾曲内側に突出した刃３０１ｃが鍵状に形成される。刃３０１ｃは、湾曲面から突設され且つ先端が内側に傾いている。この傾きにより引っ掻き効果が高まる。
【００４２】
第二刃３０２は、平面視において矩形であり長手方向が軸方向と一致しており、全体的に短手方向に湾曲している。また、軸方向に略平行に２つの切り込み３０２ａが設けられ、三つ指のフォーク形状となる。先端縁には、前記湾曲面に対して湾曲内側に突出した刃３０２ｃが鍵状に形成される。刃３０２ｃは、湾曲面から突設され且つ先端が内側に傾いている。この傾きにより引っ掻き効果が高まる。
【００４３】
次に、このジェルオフスティック３００の使用方法を説明する。第一刃３０１と第二刃３０２は、それぞれ順に用いても良いし、単独で用いても良い。第一刃３０１は、本体３を持ち、前記刃３０１ｃを爪Ｎの表面に均一に当たるように、当該本体３の爪Ｎに対する角度を調整しながら、爪Ｎの表面であって甘皮付近に押し付ける。位置は、前記穴３０１ａから確認できる。この状態で爪Ｎの先端方向に第一刃３０１を移動させると、刃３０１ｃがジェルネイルに喰い込み、移動に伴いジェルネイルがこそぎ落される。削りカスは、第一刃３０１の内側の穴３０１ａに入り込み、排出される。この動作を繰り返してジェルネイルを全てこそぎ落とす。
【００４４】
第二刃３０２を用いる場合、本体３を持ち前記刃３０２ｃが爪Ｎの表面に均一に当たるように、当該本体３の爪Ｎに対する角度を調整しながら、爪Ｎの表面であって甘皮付近に押し付ける。これにより刃３０２ｃがジェルネイルに喰い込み、この状態で爪Ｎの先端方向に第二刃３０２を移動させると、刃３０２ｃによりジェルネイルの表面に筋が入り、こそぎ落としやすくなる。このように筋を形成した後は、先端が逆になるように本体３を持ち替えて、第一刃３０１により上記動作によりジェルネイルをこそぎ落とす。
【００４５】
このジェルオフスティック３００によれば、スティック状であり且つその先端で引っ掻くようにしてジェルネイルをこそぎ落とすことになるため、自然な姿勢で作業が行える。また、第二刃３０２でジェルネイルに筋を付け、その上で第一刃３０１によりジェルネイルをこそぎ落とすようにすれば、簡単にジェルネイルを除去できる。
【００４６】
なお、上記第一刃３０１の穴３０１ａを省略した構成にしても良い。また、前記第二刃３０２は、図１８に示すように、上記第一刃３０１の先端湾曲部の内側に突設した３つの刃３０２ｇを備えた第二刃３０３としても良い。この第二刃３０３の場合でも、前記刃３０２ｇにより上記同様にジェルネイルに筋を付け、その上で第一刃３０１によりジェルネイルをこそぎ落とすようにすれば、簡単にジェルネイルを除去できる。
【００４７】
なお、上記実施の形態１〜５では、ジェルオフスティックの素材を金属製としたが、高強度を有する樹脂製であっても良い。また、上記実施の形態１〜５における各刃は、板状金属片を洋梨形状又は滴形状をしたループ状に形成したものであるが、同様の形状を一体成形したものでも良い。
【符号の説明】
【００４８】
１００  ジェルオフスティック
１  第一刃
２  第二刃
３  本体
１ａ，２ａ  先端頂部
１ｂ，２ｂ  先端頂部両側
１ｄ，２ｄ，２ｇ  突起
１ｅ，２ｅ  湾曲部
１ｆ，２ｇ  刃
４，５  空間
【図１】
2018075358.tif 000003
【図２】
2018075358.tif 000004
【図３】
2018075358.tif 000005
【図４】
2018075358.tif 000006
【図５】
2018075358.tif 000007
【図６】
2018075358.tif 000008
【図７】
2018075358.tif 000009
【図８】
2018075358.tif 000010
【図９】
2018075358.tif 000011
【図１０】
2018075358.tif 000012
【図１１】
2018075358.tif 000013
【図１２】
2018075358.tif 000014
【図１３】
2018075358.tif 000015
【図１４】
2018075358.tif 000016
【図１５】
2018075358.tif 000017
【図１６】
2018075358.tif 000018
【図１７】
2018075358.tif 000019
【図１８】
2018075358.tif 000020
【図１９】
2018075358.tif 000021
【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
長尺の本体と、
前記本体の端にループ状に設けると共に、当該本体の軸方向に対してループ両側かつ下向きに設けた突起及びこれら突起と突起との間に当該突起の形成方向に対して略直交方向に形成され且つ爪の曲率に合わせて湾曲した端縁に刃が形成された湾曲部を有する第一刃と、
を備えたことを特徴とするジェルネイルオフ具。
【請求項２】
長尺の本体と、
前記本体の端にループ状に設けると共に、当該本体の軸方向に対してループ両側かつ下向きに設けた突起及びこれら突起と突起との間に当該突起の形成方向に対して略直交方向に設けられた端縁に刃が形成された第二突起を有する第二刃と、
を備えたことを特徴とするジェルネイルオフ具。
【請求項３】
長尺の本体と、
前記本体の一端にループ状に設けると共に、その一面側に、当該本体の軸方向に対してループ両側かつ下向きに設けた突起及びこれら突起と突起との間に当該突起の形成方向に対して略直交方向に形成され且つ爪の曲率に合わせて湾曲した端縁に刃が形成された湾曲部を有する第一刃と、
その他面側に、当該本体の軸方向に対してループ両側かつ下向きに設けた突起及びこれら突起と突起との間に当該突起の形成方向に対して略直交方向に設けられた端縁に刃が形成された第二突起を有する第二刃と、
を備えたことを特徴とするジェルネイルオフ具。
【請求項４】
前記ループ状部分の先端頂部は湾曲していることを特徴とする請求項１〜３のいずれか一つに記載のジェルネイルオフ具。
【請求項５】
前記先端頂部の両側の湾曲の曲率を、先端頂部の湾曲の曲率より大きくしたことを特徴とする請求項４に記載のジェルネイルオフ具。
【請求項６】
更に、前記本体の他端に、砥石を設けたことを特徴とする請求項３に記載のジェルネイルオフ具。
【手続補正２】
【補正対象書類名】明細書
【補正対象項目名】０００８
【補正方法】変更
【補正の内容】
【０００８】
上記発明においては、前記ループ状部分の先端頂部を湾曲させるのが好ましい。更に、前記先端頂部の両側の湾曲の曲率を、先端頂部の湾曲の曲率より大きくするのが好ましい。更に、前記本体の他端に、砥石を設けるのが好ましい。
【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
長尺の本体と、
前記本体の端にループ状に設けると共に、当該本体の軸方向に対してループ両側かつ当該両側を水平方向としたときの当該水平方向に対する上下方向に設けた突起及びこれら突起と突起との間に当該突起の形成方向に対して略直交方向に形成され且つ爪の曲率に合わせて湾曲した端縁に刃が形成された湾曲部を有する第一刃と、
を備えたことを特徴とするジェルネイルオフ具。
【請求項２】
長尺の本体と、
前記本体の端にループ状に設けると共に、当該本体の軸方向に対してループ両側かつ当該両側を水平方向としたときの当該水平方向に対する上下方向に設けた突起及びこれら突起と突起との間に当該突起の形成方向に対して略直交方向に設けられた端縁に前記水平方向に対する上下方向に刃が形成された第二突起を有する第二刃と、
を備えたことを特徴とするジェルネイルオフ具。
【請求項３】
一端に刃部を有する長尺の本体と、
前記本体の一端にループ状に設けると共に、前記刃部の一面側に、当該本体の軸方向に対してループ両側かつ当該両側を水平方向としたときの当該水平方向に対する上下方向に設けた突起及びこれら突起と突起との間に当該突起の形成方向に対して略直交方向に形成され且つ爪の曲率に合わせて湾曲した端縁に刃が形成された湾曲部を有する第一刃と、
前記刃部の他面側に、当該本体の軸方向に対してループ両側かつ当該両側を水平方向としたときの当該水平方向に対する上下方向に設けた突起及びこれら突起と突起との間に当該突起の形成方向に対して略直交方向に設けられた端縁に前記水平方向に対する上下方向に刃が形成された第二突起を有する第二刃と、
を備えたことを特徴とするジェルネイルオフ具。
【請求項４】
前記ループ状部分の先端頂部は湾曲していることを特徴とする請求項１〜３のいずれか一つに記載のジェルネイルオフ具。
【請求項５】
前記先端頂部の両側の湾曲の曲率を、先端頂部の湾曲の曲率より大きくしたことを特徴とする請求項４に記載のジェルネイルオフ具。
【請求項６】
更に、前記本体の他端に、砥石を設けたことを特徴とする請求項３に記載のジェルネイルオフ具。
【手続補正書】
【提出日】平成29年12月29日(2017.12.29)
【手続補正１】
【補正対象書類名】特許請求の範囲
【補正対象項目名】全文
【補正方法】変更
【補正の内容】
【特許請求の範囲】
【請求項１】
長尺の本体と、
前記本体の端にループ状に設けると共に、当該本体の軸方向に対してループ両側かつ当該両側を水平方向としたときの当該水平方向に対する上下方向一側に設けた突起及びこれら突起と突起との間に当該突起の形成方向に対して略直交方向に形成され且つ爪の曲率に合わせて湾曲した端縁に刃が形成された湾曲部を有する第一刃と、
を備えたことを特徴とするジェルネイルオフ具。
【請求項２】
長尺の本体と、
前記本体の端にループ状に設けると共に、当該本体の軸方向に対してループ両側かつ当該両側を水平方向としたときの当該水平方向に対する上下方向一側に設けた突起及びこれら突起と突起との間に当該突起の形成方向に対して略直交方向に設けられた端縁に刃が形成された一側に突出する第二突起を有する第二刃と、
を備えたことを特徴とするジェルネイルオフ具。
【請求項３】
一端にループ状の刃部を有する長尺の本体と、
前記本体の一端にループ状に設けると共に、前記刃部の一面側に、当該本体の軸方向に対してループ両側かつ当該両側を水平方向としたときの当該水平方向に対する上下方向一側に設けた突起及びこれら突起と突起との間に当該突起の形成方向に対して略直交方向に形成され且つ爪の曲率に合わせて湾曲した端縁に刃が形成された湾曲部を有する第一刃と、
前記刃部の他面側に、当該本体の軸方向に対してループ両側かつ当該両側を水平方向としたときの当該水平方向に対する上下方向他側に設けた突起及びこれら突起と突起との間に当該突起の形成方向に対して略直交方向に設けられた端縁に刃が形成された他側に突出する第二突起を有する第二刃と、
を備えたことを特徴とするジェルネイルオフ具。
【請求項４】
前記ループ状部分の先端頂部は湾曲していることを特徴とする請求項１〜３のいずれか一つに記載のジェルネイルオフ具。
【請求項５】
前記先端頂部の両側の湾曲の曲率を、先端頂部の湾曲の曲率より大きくしたことを特徴とする請求項４に記載のジェルネイルオフ具。
【請求項６】
更に、前記本体の他端に、砥石を設けたことを特徴とする請求項３に記載のジェルネイルオフ具。